(57)【特許請求の範囲】
【請求項１】
接続相互関係識別子（ＣＣＩＤ）により各マルチコネクション呼との個別のコネクションが調整されるマルチコネクション呼に関する、ユーザインターフェイスにおける広帯域網内のシグナリング方法において、ＣＣＩＤは呼確立中に発呼者および被呼者により発生され、発呼者と着呼部との２部分により構成されることを特徴とする、前記シグナリング方法。
【請求項２】
請求項１記載の広帯域網におけるシグナリング方法であって、発呼者はマルチコネクション呼の第１のコネクションのセットアップと一緒にもしくはプリネゴシエーションと一緒に、呼確立中に発呼接続相互関係識別子（ＯＣＣＩＤ）を割り当て、かつ着呼接続相互関係識別子（ＤＣＣＩＤ）にダミー値を割り当て、被呼者はダミー値を受信したら有効なＤＣＣＩＤ値を割り当ててＣＣＩＤを完全なものとする、前記シグナリング方法。
【請求項３】
請求項２記載の広帯域網におけるシグナリング方法であって、発呼者および被呼者はマルチコネクション呼の第１のコネクションのセットアップ中もしくはプリネゴシエーション中に作り出された完全なＣＣＩＤを、同じマルチコネクション呼の他の全てのコネクションに使用する、前記シグナリング方法。
【請求項４】
マルチコネクション呼に関する、ユーザインターフェイスにおける広帯域網内のシグナリング手段において、該手段は接続相互関係識別子（ＣＣＩＤ）を発生して各マルチコネクション呼との個別のコネクションを調整し、前記手段は呼確立中に発呼者および被呼者においてＣＣＩＤを発生し、前記ＣＣＩＤは発呼部と着呼部との２部分により構成されることを特徴とする、前記シグナリング手段。
【発明の詳細な説明】
発明の技術分野および関連技術の説明
広帯域網を使用すると、さまざまな種類の呼をセットアップすることができる。例えば、Ｂ−ＩＳＤＮ標準によれば、二人のユーザ間の通常のポイント−ポイント呼、およびポイント−マルチポイント呼の両方が提供される。新しいシグナリング標準がＡＴＭ環境に関連するＩＴＵ−Ｔにより継続的に設定されている。非常に近い将来に、ポイント−ポイントマルチコネクション呼に関する新しい標準が設定されるであろう。二人のユーザ間の単一の呼の中でいくつかのコネクションを確立しなければならない場合に、ポイント−ポイントマルチコネクション呼に対するニーズが生じる。マルチメディアは、この技術を適用して例えば一つのチャネルで映像を送り、第２のチャネルで音声を送り、第３のチャネルでデータを送る一つの応用である。ビデオオンデマンドはもう一つの適切な応用である。
マルチコネクション呼自体はＢ−ＩＳＤＮにおけるサービスとして既に知られている。マルチコネクション呼を提供するには、例えば、発呼識別子ＯＣＩＤ（Ｏｒｉｇｉｎａｔｉｎｇ  Ｃａｌｌ  Ｉｄｅｎｔｉｆｉｅｒ）および着呼識別子ＤＣＩＤ（Ｄｅｓｔｉｎａｔｉｏｎ  Ｃａｌｌ  Ｉｄｅｎｔｉｆｉｅｒ）等の特殊なパラメータが必要である。ＯＣＩＤはマルチコネクション呼を確立する前に発局市内交換機により割り当てられる。それは発局および着局市内交換機間の呼接続を識別するのに使用される。ＤＣＩＤは受信端における呼接続を識別し、着局交換機において作り出される。受信される第１の発呼識別子の値は着呼識別子の値として反映される。発局および着局交換機の呼識別子はマルチコネクション呼に属するシグナリング接続が存在する限り一定のままである。呼識別子は関係する発局および着局交換機、ＡおよびＢ、の各々により独立に割り当てられ、各交換機はマルチコネクション呼に属するシグナリング接続を一意的に識別することができる。
発呼識別子Ａは、マルチコネクション呼に属する第１のシグナリング接続のための第１のメッセージを送る時に、発局交換機Ａにより割り当てられ、発局交換機Ａにおいてマルチコネクション呼に属するシグナリング接続を識別するのに使用される。
発呼識別子Ｂは、マルチコネクション呼に属する第１のシグナリング接続のための第１のメッセージを受信する時に、着局交換機Ｂにより割り当てられ、着局交換機Ｂにおいてマルチコネクション呼に属するシグナリング接続を識別するのに使用される。
着呼識別子Ａは発呼識別子Ａに等しく、着呼識別子Ｂは発呼識別子Ｂに等しい。
マルチコネクション呼に属するシグナリング接続の第１の初期アドレスメッセージはＯＣＩＤ＿Ａを含まなければならない。
同じマルチコネクション呼に対する後続ＩＡＭメッセージはＤＣＩＢ＿Ｂを含まなければならない。
着局交換機において、第１のコネクションのためのＩＡＡメッセージの後で送られる第１の逆方向メッセージはＯＣＩＤ＿ＢおよびＤＣＩＤ＿Ａを含まなければならない。
ＯＣＩＤおよびＤＣＩＤパラメータは発局および着局交換機だけで処理される。これらのパラメータはＢ−ＩＳＤＮ網内の全ての中間交換機をトランスペアレントに伝達されユーザ・ネットワーク・インターフェースＵＮＩの有意性（ｓｉｇｎｉｆｉｃａｎｃｅ）はない。前記したことに従ったＯＣＩＤおよびＤＣＩＤによるシグナリングは、より高いＢ−ＩＳＤＮ層で行われ、ＡＴＭのネットワーク・ノード・インターフェースＮＮＩに関連しており、特に図１に示すＢ−ＩＳＵＰプロトコルに従っている。図からお判りのように、Ｂ−ＩＳＵＰはＡＴＭ  ＮＮＩレベルのシグナリングしか処理せず、発局および着局交換機間の一意的なコネクション識別子を保証するように働く。Ｂ−ＩＳＵＰはメッセージ伝送プロトコルＭＴＰ３を介して作動する。そのため、Ｂ−ＩＳＵＰはＡＴＭ網を介して直接作動することができる。一連のＩＴＵ−Ｔ勧告Ｑ．２７６１〜Ｑ．２７６４にＢ−ＩＳＵＰプロトコルが規定されている。
本発明は、他方では、ユーザインターフェイス（図１ａ、図１ｂおよび図１ｃ参照）すなわちＡＴＭ  ＵＮＩレベルにおける広帯域シグナリングに関連しており、そこでは各マルチコネクション呼とｋ個別のコネクションを調整するために接続相互関連識別子ＣＣＩＤ（Ｃｏｎｎｅｃｔｉｏｎ  Ｃｏｒｒｅｌａｔｉｏｎ  Ｉｄｅｎｔｉｆｉｅｒ）の必要性が確認されている。それが必要な理由は、構内網では、呼の個別のコネクションの異なるルート決定が可能となるからである。
マルチコネクション呼のＢ−ＩＳＵＰプロトコルは接続相互関連識別子の値の転送を支援しなければならない。
後述する機構はＢ−ＩＳＵＰプロトコルに従ったシグナリングに類似している。Ｂ−ＩＳＵＰに類似の機構をＡＴＭ  ＵＮＩにおいて使用することにより、後述する予期せぬ利点が得られる。
発明の説明
本発明は、さらに、接続相互関連識別子をポイント−ポイントマルチコネクション呼についてどのように発生して使用するかに関連しており、接続相互関連識別子を２つの部分、発呼部（ＯＣＣＩＤ）および着呼部（ＤＣＣＩＤ）、で構成すべきことを提案する。接続相互関連識別子は呼確立中に常に発呼者および被呼者により発生され、前記したように、ユーザ・インターフェイスにおいて広帯域シグナリングに使用される。
調整過程はコネクションをセットアップする新しい要求を受信すると、この新しいコネクションは完全に新しい呼に属するのかあるいは既にゼロ以上のコネクションを有する既にアクティブな呼を属するのかを解明しなければならない。したがって、呼ゼロコネクションを有する場合であっても、アクティブであると見なすことができる。それができるのは、コネクションのセットアップに先行するプリネゴシエーションと呼ばれるものによる。このプリネゴシエーション中に、例えばマルチパーティ呼を受け入れる準備ができておれば、発呼者は被呼者と情報を交換する。しかしながら、各々が付加コネクション要求を受信できるため、調整過程は両ユーザだけでなく発信および着信インターフェイスにおけるネットワーク内で行わなければならない。
発信および着信インターフェイスにおける２つの基準点をＳｂおよびＴｂと定義すると、これらの点が一致するシナリオが考えられる。このシナリオは、発呼者が公衆ＡＴＭ網に直接アクセスし、それらの間にいかなる構内交換機も接続しない場合に生じる（図１ｂ参照）。次に、呼および付加コネクションを確立するための別々のメッセージを使用して、前記したタスクを解決することができる。しかしながら、少なくとも一つの構内網がアクセスされる他の全てのシナリオについては、構内網内で個別のコネクションを別々にルート決定することができるため、この解決策は有効に働かない。したがって、例えば、第２のコネクションは別のアクセスを介して公衆網へ入る（出る）ことができる。その結果、常にＳＥＴＵＰと呼ばれる予め定められた既知のシグナリングメッセージを使用するとともに、接続相互関連識別子を導入することがＩＴＵ−Ｔにより決定された。それは、ＡＴＭ  ＵＮＩにおけるＢ−ＩＳＵＰシグナリングを明記するＩＴＵ−Ｔ勧告Ｑ．２９３１（図１参照）の再利用を増し、かつ両種の基準点に対する一つの解決策を目指す（同意する）ことによりプロトコルの単純化につながる。
本発明に従ったＣＣＩＤによるシグナリングを使用して実施するために、下記の説明は有効であり、両方のインターフェイス、一致するＳｂおよびＴｂ基準点を有するシナリオに対して機能を果たし、また構内ＩＳＤＮと相互作用するＴｂ基準点に対しても機能を果たす。
前記したように、接続相互関連識別子（ＣＣＩＤ）は２つの部分、発呼部（ＯＣＣＩＤ）および着呼部（ＤＣＣＩＤ）から構成しなければならない。両方の値は、一緒にユーザ−ユーザ有意性を有するグローバル識別子を表すことになる。
ＣＣＩＤは、常に呼確立と共に作り出さなければならないだろう。この機構は、発局および着局交換機間の一意的なコネクション識別子（ＯＣＩＤ−Ａ，ＤＣＩＤ−Ａ，ＯＣＩＤ−Ｂ，ＤＣＩＤ−Ｂ）を保証するＢ−ＩＳＵＰに使用するものと類似している。
・第１のコネクションと一緒に呼が確立される場合のＣＣＩＤの発生：
−発呼ユーザはＯＣＣＩＤを割り当て、ＤＣＣＩＤのダミー値と一緒にそれをＳＥＴＵＰメッセージ内に含める。ダミーＤＣＣＩＤにより、発信インターフェイスにおけるネットワークは要求されたコネクションが新しい呼に属することを認識する。ＣＣＩＤの内容は修正せずにネットワークを転送させなければならない。着信インターフェイスにおいて、ネットワークはＣＣＩＤを修正せずにＳＥＴＵＰメッセージ内に含め、次にそれは被呼ユーザへ向けて送られる。
ダミーＤＣＣＩＤを有するＳＥＴＵＰメッセージを受信すると、被呼ユーザは要求されたコネクションが新しい呼に属さなければならないことを認識する。被呼ユーザはＤＣＣＩＤを割り当て、それは非修正ＯＣＣＩＤと一緒にＣＯＮＮＥＣＴメッセージ内へ返送される。ＣＯＮＮＥＣＴメッセージも予め定められたシグナリングメッセージである。
このようにして、着信インターフェイスにおけるネットワークは完全に構成されたＣＣＩＤを受信し、後の調整の目的でそれを格納し発信インターフェイスへ転送する。そこで、ネットワークはそれを後の調整の目的で再度格納しまた発呼ユーザへ向けてＣＯＮＮＥＣＴメッセージで転送する。
・付加エラー状態の処理：
ネットワークもしくは被呼ユーザがＯＣＣＩＤのダミー値を有するＳＥＴＵＰメッセージを受信する場合には、メッセージは無視される。ネットワークもしくは発呼ユーザがＤＣＣＩＤのダミー値を有するＣＯＮＮＥＣＴメッセージを受信する場合には、クリアが呼び出される。
・プリネゴシエーションにより呼が確立される場合の、ＣＣＩＤの発生：
第１のコネクションと一緒に呼が確立される場合と同じ原理が適用される。さらに、ＣＣＩＤはＦＡＣＩＬＩＴＹメッセージ内に含めることもでき、それはやはりプリネゴシエーション中に使用される予め定められたシグナリングメッセージである。
ＣＣＩＤの転送について考えられる可能性はＦＡＣＩＬＩＴＹメッセージ内に付加情報要素を導入するかもしくはプリネゴシエーション操作を拡張することである。
・付加コネクションが要求される場合の、ＣＣＩＤの使用：
発呼ユーザと被呼ユーザの両方がいくつかの付加コネクション要求を同時に要求することがある（すなわち、コネクションオーナとなる）。そのために使用されるＳＥＴＵＰメッセージはＣＣＩＤを含まなければならない。
完全なＣＣＩＤ（ダミー値がない）を有するＳＥＴＵＰメッセージを受信したら、それが既知でなければ（純粋なＴｂ基準点の場合に考えられる）ネットワークはそれを登録しなければならない。次に、ＣＣＩＤと一緒にコネクション要求がＢ−ＩＳＤＮを介して転送される。受信側において、ネットワークは未知であればＣＣＩＤも登録しなければならない。次に、ＣＣＩＤをＳＥＴＵＰメッセージ内で非コネクションオーナへ送らなければならない。非コネクションオーナは付加コネクションの要求を受け入れる前にＣＣＩＤを検証しなければならない。
・付加エラー状態の処理：
非コネクションオーナが未知のＣＣＩＤを有するＳＥＴＵＰメッセージをネットワークから受信したら、メッセージは無視しなければならない。（注：ＳｂおよびＴｂ基準点が一致する場合には、より早期に無効ＣＣＩＤも認識することができる。しかしながら、あらゆる構成の基準点とうまく作用する前記した手順を使用することを勧める。）
次に、本発明の実施例内で生じることがある４つの異なるシナリオを開示する。それらは全て図示されている。
構内網内に異なるルーティングがなく両種の基準点に対して有効であるマルチコネクション呼の成功した確立を図２に示す。それによれば、ＯＣＣＩＤおよびＤＣＣＩＤを作り出すのは被呼者および発呼者であり、第２のコネクションのセットアップ中に、接続手順の前に完全なＣＣＩＤを設定して、第１の呼に相互関連するのは多重呼であることをシステムへ知らせるようにする。
構内網内に異なるルーティングがあるマルチコネクション呼の成功した確立を図３に示し、端末は２つのコネクションを同じ呼に相関できることを示す。
２つのマルチコネクション呼の確立を図４に示す。この例では、二人のユーザが同じ着局へマルチコネクション呼を要求する。両端末がマルチコネクション呼の同じＯＣＣＩＤを発生する。着局ユーザは同じＤＣＣＩＤを再発生しなくてもよい。そのため、各マルチコネクション呼について一意的なＤＣＣＩＤが作り出される。左側で２台の端末が同じ交換機に接続されている場合にも、同じ状況が適用される。
図５は同じＯＣＣＩＤを示すさまざまな着局に対するマルチコネクション呼を示す。この例では、二人のユーザがさまざまな被呼ユーザへ向けてマルチコネクション呼を要求する。呼要求を受信すると、各被呼ユーザは呼の混合のない同じＤＣＣＩＤを発生することができる。
結論すると、本発明は発呼ユーザから与えられるものと、被呼ユーザから与えられるものの２つの部分からなる接続相互関連識別子を使用して調整過程が正しい呼にコネクションを割り当てられるようにすることを目指している。また、ネットワークの調整過程は新しい呼を確立しなければならないかを判断することもできる（接続相互関連識別子の両方の部分を利用することはできないため）。
識別子が発呼部および終端部を有する事実により、いかなるユーザも接続相互関連識別子の値が同じである２つのマルチコネクション呼を有するような状況を達成することはできない。ネットワークの観点からは、一意性は要求されないことをお判り願いたい。
本発明を使用して得られるもう一つの利点は、二種の基準点に対して異なる手順を導入する必要がないことであり、本発明は構内ＩＳＤＮ：ｓとの相互作用のためにＴｂが基準点だけでなく一致するＳｂおよびＴｂ基準点を処理する。
ＣＣＩＤがＢ−ＩＳＤＮを介して明白に変換できるようにするためには、連絡（リエゾン）ステートメントを書かなければならない。
【図１ａ】
0003710484.tif 000002
【図１ｂ】
0003710484.tif 000003
【図１ｃ】
0003710484.tif 000004
【図２】
0003710484.tif 000005
【図３】
0003710484.tif 000006
【図４】
0003710484.tif 000007
【図５】
0003710484.tif 000008